(57)【要約】【課題】エアゾールボタンキャップにおいて押下操作の押し下げ力を軽減すること。【解決手段】キャップ部11と当該キャップ部11に連接された噴射部12とこの噴射部12を下方に押し下げる押下部13とから成る。前記押下部13が前記キャップ部11の直径方向に設けられ、その押下部13の前端部が噴口12f側に位置し、この前端部を支点部としてキャップ部11と回動自在に設けられ、その他端の後端部が押下力点部13rとなる。前記支点部と押下力点部13rとの間に作用点部を設け、この作用点部で前記噴射部12を下方に押し下げることができる。前記作用点部が前記噴口12fとステム接続部12sとの間に位置する。【選択図】図２
2019189274.tif 000002
【特許請求の範囲】
【請求項１】
エアゾール容器の上端に設けられ、内容物を吐出するためのボタンキャップであって、キャップ部と、当該キャップ部に連接された噴射部と、この噴射部を下方に押し下げる押下部とから成り、前記噴射部はその下端にエアゾール容器上端のバルブステムと接続するステム接続部を有し、このステム接続部から噴射部の前端に位置する噴口へと連続する流通路が設けられ、前記押下部を下方に押し下げることにより噴射部も下方に押下されると共に、前記バルブステムも下方に押し下げられ、エアゾール容器内の内容物が前記噴射部の噴口から外界に吐出されるエアゾールボタンキャップにおいて、
前記押下部が前記キャップ部の直径方向に設けられ、その押下部の前端部が噴口側に位置し、この前端部を支点部としてキャップ部と回動自在に設けられ、その他端の後端部を押下力点部と成し、
前記支点部と押下力点部との間に作用点部を設け、この作用点部で前記噴射部を下方に押し下げることができ、
前記作用点部が前記噴口とステム接続部との間に位置していることを特徴とするエアゾールボタンキャップ。
【請求項２】
前記作用点部が前記押下部の天部から下方に延長する略逆三角形形状の下向き延長部からなり、
この下向き延長部が前記天部から２枚設けられ、これら２枚の下向き延長部の先端部は前記噴射部の両側に設けた受部と当接していることを特徴とする請求項１に記載のエアゾールボタンキャップ。
【請求項３】
前記噴射部がキャップ部の前方壁部又は後方壁部の何れか一方に連接していることを特徴とする請求項１又は２に記載のエアゾールボタンキャップ。
【請求項４】
前記噴射部の流通路がステム接続部から上方に延長する上向き流通路と、この上向き流通路から略直角方向前方に向かう横向き流通路とから成り、この横向き流通路の出口が噴口を形成し、前記上向き流通路と前記横向き流通路との接続部の流通路の横断面積が前記上向き流通路及び横向き流通路の横断面積よりも小さいことを特徴とする請求項１乃至３の何れか１項に記載のエアゾールボタンキャップ。
【発明の詳細な説明】
【技術分野】
【０００１】
本発明は、エアゾール容器の上端に設けられる押下ボタンとキャップとが一体的に形成されたボタンキャップの改良に関するものである。
【背景技術】
【０００２】
従来のこの種のエアゾールボタンキャップとしては、本願出願人が提案した下記特許文献１に記載のものを挙げることができる。
この文献に記載のエアゾール容器の噴口一体型ボタンキャップは、キャップの直径方向の中央部に押下ボタンをキャップ部に連接して設け、この押下ボタンの前方部から前方に延長するノズル部（噴射部）を設け、前記押下ボタンの下端にはエアゾール容器上端のバルブステムと接続するステム接続部を設け、このステム接続部から前記噴射部の前端に設けられている噴口まで連続する流通路を形成したものである。
この従来例にあっては、押下ボタンがエアゾール容器のバルブステムの上に位置し、バルブステムをその上方から下方に押し下げて内容物を噴霧する。
【０００３】
下記特許文献２に記載のエアゾール容器用キャップも、本願出願人が提案したものであるが、噴射機構付きキャップ、つまりエアゾールボタンキャップに使用後の残留ガス抜き機構を付加したものである。
この文献に記載されたエアゾールボタンキャップにおいては、キャップ本体部と、その内部に形成されたステム接続部（噴射部）と、このステム接続部を下方に押下できる作動部（押下ボタン又は押下部）とからなる。
【０００４】
この作動部は、キャップ本体部の直径方向に配設され、前記ステム接続部の下端開口部（バルブステムとの連結孔）の上方位置で軸着され、この作動部の後端部を押し下げると、作動部の前端部が上方に回動し、ステム接続部の前端から前方に延長するノズル部の噴口が露出されると共に、作動部の天部から下方に延長する突出部がステム接続部（バルブステムと接続する入口部の後方側）を押下し、同時にバルブステムも下方に押下され、エアゾール容器内の内容物が上記ステム接続部及びノズル部の流通路を通過して噴口から外界に噴霧されることとなる。
【０００５】
上記作動部においては、その略中央部に位置する軸着部が支点部となり、その後端部に位置する押下部が力点部となり、両者の間に位置する突出部が作用点部となる。
そして、上記作用点部は、支点部と力点部との間に位置するのであるが、この従来例では、押下部である力点部は、バルブステムの上方位置にはなく、右側の後端側に位置し、梃子の原理を利用してバルブステムの上方の支点部を支点として右方向に回動して上記作用点部を押下するものである。この作用点部の位置は、上記した通り、バルブステムと接続するステム接続部の入口部の右側、つまり後方側に位置するものである。
【先行技術文献】
【特許文献】
【０００６】
【特許文献１】特開２０１５−１６８７７号公報
【特許文献１】特開２０１４−２０５５０９号公報
【発明の概要】
【発明が解決しようとする課題】
【０００７】
本発明に係るエアゾールボタンキャップにあっては、上記特許文献２に記載のボタンキャップとその構成が近似するタイプのものである。
即ち、エアゾール容器の上端のバルブステムを上から直接押下する構成でなく、前記バルブステムを押下するに際して、作動部の一部をキャップ部に軸着し、作動部の後端の押下部を押し下げ、回動させることにより上記バルブステムを押下できる構成を有するものである。
【０００８】
上記構成からなるボタンキャップにおいて、その押下部の押下げ力を極めて軽くなるようにし、極めて小さい力で操作できるようにすることが本発明の課題である。
これにより、極めて小さい力で押下部を押し下げることが可能となり、使用者・需要者に操作の負担を軽減させ、否それ以上に操作に当たり非常に軽いという快感を味わわせることができるようにすることをその課題とする。
【課題を解決するための手段】
【０００９】
上記課題を解決するために、本発明の第１のものは、エアゾール容器の上端に設けられ、内容物を吐出するためのボタンキャップであって、キャップ部と、当該キャップ部に連接された噴射部と、この噴射部を下方に押し下げる押下部とから成り、前記噴射部はその下端にエアゾール容器上端のバルブステムと接続するステム接続部を有し、このステム接続部から噴射部の前端に位置する噴口へと連続する流通路が設けられ、前記押下部を下方に押し下げることにより噴射部も下方に押下されると共に、前記バルブステムも下方に押し下げられ、エアゾール容器内の内容物が前記噴射部の噴口から外界に吐出されるエアゾールボタンキャップにおいて、前記押下部が前記キャップ部の直径方向に設けられ、その押下部の前端部が噴口側に位置し、この前端部を支点部としてキャップ部と回動自在に設けられ、その他端の後端部を押下力点部と成し、前記支点部と押下力点部との間に作用点部を設け、この作用点部で前記噴射部を下方に押し下げることができ、前記作用点部が前記噴口とステム接続部との間に位置していることを特徴とするエアゾールボタンキャップである。
ここで、上記押下部の「前端部」及び「後端部」という表現の「前後」の方向は、噴射部の噴口が位置する方向を「前」、その反対側を「後」としている。
【００１０】
本発明の第２のものは、上記第１の発明において、前記作用点部が前記押下部の天部から下方に延長する略逆三角形形状の下向き延長部からなり、この下向き延長部が前記天部から２枚設けられ、これら２枚の下向き延長部の先端部は前記噴射部の両側に設けた受部と当接していることを特徴とするエアゾールボタンキャップである。
【００１１】
本発明の第３のものは、上記第１又は第２の発明において、前記噴射部がキャップ部の前方壁部又は後方壁部の何れか一方に連接していることを特徴とするエアゾールボタンキャップである。
【００１２】
本発明の第４のものにおいては、上記第１乃至第３の何れかの発明において、前記噴射部の流通路がステム接続部から上方に延長する上向き流通路と、この上向き流通路から略直角方向前方に向かう横向き流通路とから成り、この横向き流通路の出口が噴口を形成し、前記上向き流通路と前記横向き流通路との接続部の流通路の横断面積が前記上向き流通路及び横向き流通路の横断面積よりも小さいことを特徴とするエアゾールボタンキャップである。
【発明の効果】
【００１３】
本発明の第１のものにおいては、エアゾール容器の上端に設けられ、内容物を吐出するためのボタンキャップであって、キャップ部と、当該キャップ部に連接された噴射部と、この噴射部を下方に押し下げる押下部とから成り、前記噴射部はその下端にエアゾール容器上端のバルブステムと接続するステム接続部を有し、このステム接続部から噴射部の前端に位置する噴口へと連続する流通路が設けられ、前記押下部を下方に押し下げることにより噴射部も下方に押下されると共に、前記バルブステムも下方に押し下げられてエアゾール容器内の内容物が前記噴射部の噴口から外界に噴霧されるエアゾールボタンキャップにおいて、前記押下部が前記キャップ部の直径方向に設けられ、その押下部の前端部が噴口側に位置し、この前端部を支点部としてキャップ部と回動自在に設けられ、その他端の後端部を押下力点部と成し、前記支点部と力点部との間に作用点部を設け、この作用点部で前記噴射部を下方に押し下げることができる。
【００１４】
従って、前記押下力点部を指等で下方に押し下げることによって、前記支点部を中心として押下部が右方向に回動し、前記作用点部が噴射部を押し下げることができるのであるが、前記作用点部が前記噴口とステム接続部との間に位置しているため、その梃子作用により、その押下力を極めて軽いものとすることができるのである。
【００１５】
従来のボタンキャップ（上記第２従来例）にあっては、上記した通り、略中央部（バルブステムの上方）に位置する軸着部が支点部となり、その後端部に位置する押下部が力点部となり、両者の間に位置する突出部が作用点部となる。そして、上記作用点部は、支点部と力点部との間に位置することとなるのであるが、その力点部はステム接続部の右側、つまり後方側、押下部の側に設けられている。
しかし、本発明においては、この作用点部が噴射部のステム接続部の左側、つまり前方側に設けられ、その押下力を極めて小さいものとすることができるのである。
【００１６】
本発明の第２のものにおいては、上記第１の発明における作用点部の構成をより具体化したものである。
つまり、この作用点部が前記押下部の天部から下方に延長する２枚の略逆三角形形状の下向き延長部からなり、これら２枚の下向き延長部の先端部が前記噴射部の両側に設けた受部に当接するように形成したものである。
【００１７】
本発明の第３のものにおいては、噴射部とキャップ部との接続関係を具体化したものであり、即ち、この噴射部がキャップ部の前方壁部又は後方壁部の何れかと連接できることを特定した。
実施態様の多様化を図ったものである。
【００１８】
本発明の第４のものにおいては、噴射部の流通路を具体化したものであり、即ち、この噴射部の流通路がステム接続部から上方に延長する上向き流通路と、この上向き流通路から略直角方向前方に向かう横向き流通路とから形成し、この横向き流通路の出口が噴口を形成し、前記上向き流通路と前記横向き流通路との接続部の流通路の断面積が前記上向き流通路及び横向き流通路の横断面積よりも小さく形成することにより、より適切で良好な噴霧パターンを得ることが出来るものとなるのである。
【図面の簡単な説明】
【００１９】
【図１】本発明の一実施形態に係るエアゾールボタンキャップを図示しており、その（Ａ）が平面図、その（Ｂ）が一部切欠拡大斜視図である。
【図２】上記実施形態の縦断面を図示しており、その（Ａ）が図１（Ａ）のＡ−Ａ線断面図、その（Ｂ）が同じくＢ−Ｂ線断面図、その（Ｃ）が同じくＣ−Ｃ線断面図である。
【発明を実施するための形態】
【００２０】
以下、添付の図面と共に本発明の実施形態について説明する。
図１は、本発明の一実施形態に係るエアゾールボタンキャップを図示しており、その（Ａ）が平面図、その（Ｂ）が一部切欠拡大斜視図である。
図２は、上記実施形態の縦断面を図示しており、その（Ａ）が図１（Ａ）のＡ−Ａ線断面図、その（Ｂ）が同じくＢ−Ｂ線断面図、その（Ｃ）が同じくＣ−Ｃ線断面図である。
【００２１】
本発明に係るエアゾールボタンキャップ１０（以下単に「ボタンキャップ」という。）は、キャップ部１１と、このキャップ部１１の内部でこのキャップ部１１と連接する噴射部１２と、この噴射部１２を押し下げることのできる押下部１３とから成る。
【００２２】
キャップ部１１は、底面が開口した筒体形状を有しており、その直径方向の内部に噴射部１２と押下部１３が配置する。
キャップ部１１の下端周縁部１１ｂが図示はしていないエアゾール容器の上端周縁部に冠着する。
【００２３】
キャップ部１１の天部１１ｔは、周縁部が湾曲した有底状態に形成されているが、その直径方向は切り欠かれた状態に形成され、その内部に噴射部１２と押下部１３が配置する。
キャップ部１１の前方壁部１１ｆには、窓部１１ｗが形成され、この窓部１１ｗに噴射部１２の前端の噴口１２ｆが臨む。
【００２４】
噴射部１２は、その下端にエアゾール容器のバルブステムの上端部と接続するステム接続部１２ｓを備え、このステム接続部１２ｓから上方に向かう上向き流通路１２ｕとこの上向き流通路１２ｕから略直角方向の横方向に連続する横向き流通路１２ｙが形成され、この横向き流通路１２ｙの出口が噴口１２ｆとなる。
【００２５】
上記上向き流通路１２ｕと横向き流通路１２ｙとの接続部１２ｍは、その横断面積を前記上向き及び横向き流通路１２ｕ、１２ｙの横断面積よりも小さく形成している。
上記ステム接続部１２ｓの上方の後方側の壁面部には、キャップ部１１の後方壁部１１ｒと接続する接続部１２ｒが設けられている。
【００２６】
この接続部１２ｒの存在により、この噴射部１２は、後に説明する押下部１３の押し下げ操作により下方に押し下げられることができる。
即ち、この噴射部１２は、この接続部１２ｒの後方端の接続部位を中心にして下方に回動できるのである。
この噴射部１２が下方に回動すると、噴射部１２のステム接続部１２ｓも下方に移動し、エアゾール容器のバルブステムを押下して、エアゾール容器内の内容物が吐出されることとなる。
【００２７】
押下部１３は、上記した通り、キャップ部１１の直径方向全体に渡り、あたかもキャップ部１１の天部１１ｔの一部を形成するように設けられる。
より詳しくは、この押下部１３は、その前方部分の左右両側に位置する軸部１５で回動自在にキャップ部１１に取り付けられている。
【００２８】
即ち、上記軸部１５を支点部として、押下部１３は回動する。換言すると、この押下部１３の後方端の押下力点部１３ｒを押し下げると、上記軸部１５を支点部として回動させることができる。
押下部１３の天部の下面には、２枚の下向き延長部１３ｋが設けられている。
この下向き延長部１３ｋは、略逆三角形をした板状のものであり、その下方先端部１３ｖが作用点部となって、噴射部１２を押し下げることができる。
【００２９】
即ち、噴射部１２の両側にはその前後方向に段部１２ｄが形成されており、この段部１２ｄに上記下向き延長部１３ｋの下方先端部１３ｖが当接しているのである。つまり、この段部１２ｄが上記押下部１３に設けた下向き延長部１３ｋの下方先端部１３ｖの受部となる。
従って、押下部１３の後方端の押下力点部１３ｒを例えば人差し指で押し下げると、その前端部の軸部１５（支点部）を中心として右回りに回動して、噴射部１２の受部としての段部１２ｄを下方に押し下げることができるのである。
これによってエアゾール容器のバルブステムも下方に押し下げられ、エアゾール容器内の内容物が噴口１２ｆから外界に噴霧されることとなるのである。
【００３０】
ここで、本発明においては、押下力点部１３ｒと、支点部（軸部１５）と、作用点部である押下部１３の下向き延長部１３ｋの下方先端部１３ｖ（作用点部）との位置関係が重要となる。
この作用点部である下方先端部１３ｖが、本発明では、支点部１５と押下力点部１３ｒとの間であって、しかも、噴射部１２のステム接続部１２ｓの左側、つまり噴口側に位置しているのである。
【００３１】
仮に、上記作用点部１３ｖがステム接続部１２ｓの右側、後方側に位置すると、従来のボタンキャップと同様の構成となるのであるが、この作用点部１３ｖをステム接続部１２ｓの左側、つまり噴口側に近付けて設けることにより、いわば爪切り型の梃子の原理と同様に、よりその押下力が小さいものであっても、エアゾール容器のバルブステムを押下することができることとなるのである。
【００３２】
本願発明においては、上記のように、支点部と作用点部と力点部との位置関係がポイントであって、支点部と力点部の長さをより長く取り、その間の作用点部をより支点部側に近付けることにより、梃子の原理を利用して、力点部の押下力をより小さくすることができるのである。
【００３３】
以上、本発明の実施形態について説明したが、本発明においては以下の通り種々設計変更することが可能である。
キャップ部の下端部の直径は、エアゾール容器の上端部の外周縁部と良好に冠着できるサイズとすればよく、エアゾール容器の大きさに合致できるサイズにすればよく、その外径形状も適宜自由に設計変更することができる。
【００３４】
要は、キャップ部の直径方向に切欠部を設け、噴射部と押下部とが配置できればよい。
噴射部の形態及び大きさも適宜キャップ部のサイズに合致させて設計することができ、その内部にエアゾール容器の内容物が流通できる流通路を設け、この流通路の入口を下端のステム接続部とし、その出口を前端の噴口とすればよい。
噴口には、各種タイプの噴口チップを嵌合させ、噴霧パターンの変更を図ることもできる。
【００３５】
噴射部の両側に設けた受部としての段部も適宜設計変更することができ、押下部の天部から下向きに延長する下向き延長部の下方先端部が当接できる単なる突起部であってもよいし、段部以外のその他の手段を採用することができる。
この噴射部は、キャップ部の前方壁部に接続させることも可能である。
【００３６】
押下部も、キャップ部の直径方向の切欠部に合致する形態を採用することができ、上記実施形態では、キャップ部の天部の外形と合致する形態を採用している。
押下部の後端部の押下力点部には、指を掛かりやすくするための窪みを設けているが、この窪みの形態も自由に設計変更することができる。
【００３７】
押下部に設けた下向き延長部も、略逆三角形の板状のものとしたが、その形態は自由に設計変更することができ、単なる天部から下方に延長する突出部又は突起によって形成することもできる。
但し、この下向き延長部の下方先端部である作用点部の位置は、噴射部のステム接続部と噴口との間に設けることが重要である。
即ち、この作用点部を出来る限り噴口側に位置させることにより、梃子の原理で、この押下部の後端の押下力点部の押下力を小さいものとすることができるからである。
【００３８】
以上、本発明においては、エアゾールボタンキャップにおいて、その押下部の支点部と作用点部と力点部との位置関係を考慮し、支点部と力点部との距離を最大のものとし、中間に位置する作用点部の位置を支点部側に近付けることにより力点部の押下力を最小のものとすることができ、押下部の押下力点部を軽い力で押下することができ、軽く気持ちのよい押下力にて噴霧操作を行うことができるエアゾールボタンキャップを提供することができた。
【符号の説明】
【００３９】
１０  エアゾールボタンキャップ
１１  キャップ部
１１ｂ  下端周縁部
１１ｔ  天部
１１ｆ  前方壁部
１１ｒ  後方壁部
１１ｗ  窓部
１２  噴射部
１２ｄ  段部
１２ｆ  噴口
１２ｒ  接続部
１２ｓ  ステム接続部
１２ｕ  上向き流通路
１２ｙ  横向き流通路
１３  押下部
１３ｋ  下向き延長部
１３ｒ  押下力点部
１３ｖ  下方先端部（作用点部）
１５  軸部（支点部）
【図１】
2019189274.tif 000003
【図２】
2019189274.tif 000004